(57)【要約】【課題】養生シートと枠組足場に養生シートを張設する際に用いられる締結具にあって、張設現場で生じる養生シートと枠組足場の銅管との距離の不揃いに対処でき、且つ締結作業の迅速化を図る。【解決手段】締結具本体２を紐部材で構成し、この締結具本体２の両端部にワンタッチで着脱自在の連結具３を設ける。締結具本体２は枠組足場の銅管１５の外周に回装されると共に、養生シート１６の緊結用の穴１７に通され、養生シート１６が張設される。この締結具本体２の緩みの対処は、紐部材を交差させ、また紐部材を鋼管１５に２重巻とすることで行われる。また、締結具本体２に永久磁石１２を設けることで、作業中の落下の防止を図る。【選択図】    図１
2010189883.tif 000002
【特許請求の範囲】
【請求項１】
締結具本体の一方を枠組足場の鋼管に係止し、他方を養生シートの緊結用の穴に係止して用いられる養生シート用締結具において、
前記締結具本体は、紐部材から構成され、その一方の端と他方の端とが連結具により連結されて輪状を成し、前記枠組足場の鋼管の周囲に回装されると共に、前記緊結用の穴に通されることを特徴とする養生シート用締結具。
【請求項２】
前記締結具本体に弾性材が織り込まれることを特徴とする請求項１記載の養生シート用締結具。
【請求項３】
前記締結具本体に永久磁石を取付けたことを特徴とする請求項１記載の養生シート用締結具。
【請求項４】
締結具本体の一方を枠組足場の鋼管に係止し、他方を養生シートの緊結用の穴に係止して用いられる養生シート用締結具において、
前記締結具本体は、金属材から作られ、前記一方の端と他方の端との間を緊縮せしめるような緊縮手段を設けるようにしたことを特徴とする養生シート用締結具。
【請求項５】
前記締結具本体の一方及び他方の端にフックが設けられていることを特徴とする請求項４記載の養生シート用締結具。    
【請求項６】
前記緊縮手段として、ターンバックルを用いたことを特徴とする請求項４記載の養生シート。
【請求項７】
前記緊縮手段として、弾性材を用いたことを特徴とする請求項４記載の養生シート用締結具。
【発明の詳細な説明】
【技術分野】
【０００１】
この発明は、建築現場等に用いられる養生シートを枠組足場に張設するための養生シートの締結具に関する。
【背景技術】
【０００２】
従来、建築現場などで使用される養生シートの張設は、工事用の枠組足場の鋼管にロープを介して縛り付けているのが大半である。この縛り作業は簡単であるが、養生シートを張る規模が大きくなると面倒で時間もかかっていた。
【０００３】
このため、養生シートの張設作業の効率化のため、下記する特許文献１，２，３に示す技術が創作されている。このうち、特許文献１は、シート等の留め具に関し、合成樹脂により一体成形された紐様体１１の一端に数珠状の膨隆部１２を設け、他端にその膨隆部１２にひっかけて係止する係止板１４を設けて、ワンタッチ作業でシートを柱に留めることができるようにしたものである。
【０００４】
特許文献２は、折り曲げ加工性を備える線材１１を折り曲げて形成され、養生ネット５１等の養生用のシート部材をパイプ部材等からなる支柱５０に取り付けて配設する際に使用する養生シート取付金具１０に関し、線材１１を、その両端部分１３，１４が互いに交差するまで環状に湾曲させることにより得られる支柱装着部１２と、この支柱装着部１２の外側において両端部分１３，１４の交差部１５よりも先端側の部分を各々折り曲げることにより得られる一対の対向配置されたフック部１６，１７とから構成するようにしたものである。
【０００５】
特許文献３は、養生シートの張設構造に関し、建地２の２スパン以上の長さに亘ってほぼ水平方向にランナー１２の摺動を案内することができるレール部材７に対し、当該レール部材７によってほぼ水平方向に摺動が案内されるランナー１２を介して、建地２の２スパン以上の巾の養生シート１を吊持し、２スパン以上の巾の養生シート１について、張設と撤去、並びに、束ね付けと再張設が一度にできるようにしたものである。
【先行技術文献】
【特許文献】
【０００６】
【特許文献１】特開平６−５７９６４
【特許文献２】特開２００２−１０６１７５
【特許文献３】特開２００６−１１８１２１
【発明の概要】
【発明が解決しようとする課題】
【０００７】
しかしながら、前述の特許文献１にあっては、合成樹脂で製造され、単純な構造であるが、養生シートが風にあおられると大きな力がかかり、樹脂製の紐様体１１が伸びたり、切れたりするおそれがある。また特許文献２にあっては、取付金具１０の形状が固定式であるため、養生シートの張り方によって枠組足場の鋼管と養生シートとの距離が不揃いとなると、取付ができず、融通が難しい。また、取付金具１０の先端が折り曲げてあり、シートの張り方によってはある程度の力が必要であるため、取付時に折り曲げ部分の先端で指を詰めたり、切り傷等の不安がある。  
【０００８】
特許文献３にあっては、レール部材７上を摺動させるランナー１２により、養生シート１を張設するものであり、張設作業並びに撤去作業は容易であるが、レール部材７を建地に取付けなければならず、障害物があれば、レール部材の設置が出来ず使用に不便である。
【０００９】
本発明は、係る事情に鑑みてなされたものであり、強度的にも充分で、枠組足場の鋼管と養生シートの距離が不揃いでも、張設現場で融通がきき、また設置条件を選ばない、ワンタッチで着脱が可能な汎用性のある養生シート用締結具を提供することにある。
【課題を解決するための手段】
【００１０】
上記課題を達成するために、本発明に係る養生シート用締結具は、締結具本体の一方を枠組足場の鋼管に係止し、他方を養生シートの緊結用の穴に係止して用いられる養生シート用締結具において、前記締結具本体は、紐部材から構成され、その一方の端と他方の端とが連結具により連結されて輪状を成し、前記枠組足場の鋼管の周囲に回装されると共に、前記緊結用の穴に通されることを特徴としている。
【００１１】
したがって、締結具本体を養生シートの緊結用の穴に通し、それから枠組足場の鋼管の周囲に回し、しかる後に、一方の端と他方の端とを連結具により連結させて輪状にすることで、養生シートを枠組足場に取付ることができる。また、枠組足場の鋼管と養生シートとの距離が不揃いの場合には、この締結具本体を交差するようにしたり、または枠組足場の鋼管に２重巻きにして調節することで、緊縮性を持って取付けることができる。
【００１２】
ここで、前記締結具本体には弾性材が織り込まれることが好ましい。これにより、締結具本体が伸縮して、常に養生シートに緊縮作用を与えることができる。
【００１３】
また、前記締結具本体に磁石を取り付けることが好ましい。これにより、締結時に、締結具本体の支点位置の確保が容易になると共に、取り付け時のみならす、取り外し時に、締結具本体の落下を防止することが可能となる。
【００１４】
本発明に係る養生シート用締結具は、締結具本体の一方を枠組足場の鋼管に係止し、他方を養生シートの緊結用の穴に係止して用いられる養生シート用締結具において、前記締結具本体は、金属材から作られ、前記一方の端と他方の端との間を緊縮せしめるような緊縮手段を設けるようにしてもよい。
【００１５】
したがって、締結具本体が緊縮手段により伸縮し、枠組足場の鋼管と養生シートとの距離が不均等でも、養生シートを枠組足場に容易に取付けることができる。即ち、融通性を持たせることができる。
【００１６】
ここで、前記締結具本体の一方及び他方の端にフックが設けられていることが好ましい。これにより、該フックにて枠組足場の鋼管及び養生シートの緊結穴に掛止めが容易となる。
【００１７】
前記緊縮手段としては、ターンバックルを用いるようにしても、また弾性材を用いるようにしてもよい。これにより、締結具本体にテンションを与え、枠組足場の鋼管と養生シートとの間を緊縮状態に保っている。
【発明の効果】
【００１８】
以上述べたように、請求項１に係る養生シート用締結具によれば、組部材の締結具本体を養生シートの緊結用の穴に通すと共に、枠組足場の鋼管の周囲に回し、嵌合接続方式の連結具により連結し、養生シートを容易に取付けることができる。その際に、枠組足場の鋼管と養生シートとの距離が不揃いの場合には、締結具本体を交差したり、又は前記鋼管に２重回しにすることで、緊縮状態を維持し、現場での取り付けの融通性を持たせることができる。また、締結具本体は、連結具の突起を指で押圧して接続又は解除を図るため、指に極端な負担をかけることがなく、ワンタッチの着脱ができるので締結作用を迅速に行うことができる。さらに、締結具本体が紐で作られるから、保管場所を余り取らないし、繰り返しの使用が可能である。
【００１９】
また、前記締結具本体に弾性材が織り込まれることで、常に養生シートにテンションを掛けることが可能となる。さらに、締結具本体に永久磁石を取付けることで、永久磁石が鋼管に磁着し、取り付け・取り外し時に締結具本体が落下することがなくなり、安全性を向上させることが可能となる。
【００２０】
また、請求項４に係る養生シート用締結具によれば、締結具本体が緊縮手段により伸縮して、枠組足場の鋼管と養生シートとの距離が不揃いでも養生シートとを枠組足場の鋼管に容易に取付けることができ、取付作業に融通性を持たせることができ、繰り返しの使用も可能である。
【００２１】
また、締結具本体の一方及び他方の端にフックを設けることで、該フックにより枠組足場及び養生シートの緊結穴に掛止めが容易となる。
【図面の簡単な説明】
【００２２】
【図１】この発明を示す平面図である。
【図２】同上の連結具の拡大断面図である。
【図３】同上の締結具本体の所定部位に永久磁石を設けた断面図である。
【図４】同上の締結具本体の具体的な使用例で、交差している状態を表す平面図である。
【図５】は、同上の締結具本体の具体的な使用例で、枠組足場に２重巻きした状態を表す平面図である。
【図６】他の発明を示す平面図である。
【図７】同上の緊縮手段の他の例を表す断面図である。
【図８】同上の緊縮手段のさらに他の例を表す断面図である。
【発明を実施するための形態】
【００２３】
以下、本発明に係る実施例を図面を用いて説明する。
【実施例１】
【００２４】
図１乃至図５において、この発明の第１の実施例が示されている。この養生シート用締結具１は、紐部材より成る締結具本体２と、この締結具本体の両端部に設けられた連結具３より成っている。
【００２５】
前記締結具本体２は、天然又は合成の繊維等から製造され、紐状の部材で、必要によってはゴムなどの弾性体が組み込まれていて、伸縮性を持たせている。そして、前述したように、締結具本体２に設けられた連結具３は、図２に示されるように、挿入部４と、それが挿入される被挿入部５とより成っていて、これらの部材は締結具本体２にかしめ止めされている。
【００２６】
前記挿入部４には、この挿入部４の径方向にスプリング７により付勢された突起８が設けられ、前記被挿入部５には、その中心に軸方向に延設された嵌入穴９が形成され、さらに、前記径方向に前記嵌入穴９に連通する係止穴１０が形成されている。これらの構成により、挿入部４が被挿入部５の嵌入穴９に挿入すると、突起８が係止穴１０と係止して容易且つ確実に結合されるし、また突起８を押圧することで、係止状態を外して挿入部４と被挿入部５との結合を解除することができる。
【００２７】
また、前記締結具本体２には、永久磁石１２が図３に示されるように、外周の一部に取付けられている。この永久磁石１２は、枠組足場の鋼管１５に磁着して、取り付け、取り外し時にこの締結具本体２の落下の防止と、鋼管１５の周りに設けられた際に、支点位置の特定（位置決め）に寄与するものである。
【００２８】
この養生シート用締結具１を用いて枠組足場に養生シート１６を張設する場合には、まず連結具３の連結状態を解除して一本の紐状とする。そして、養生シート１６の緊結用の穴１７内に挿入し、また枠組足場の鋼管１５の周りに配する。その際に永久磁石１２が鋼管１５に磁着し、締結具本体２の鋼管１５との磁着位置が定められることになり、常に鋼管との取付位置（支点位置）が特定される。
【００２９】
そして、挿入部４を被挿入部５の嵌入穴９内に挿入する。すると、突起８が係止穴１０と係止して、連結具３の挿入部４と被挿入部５は一体化され、これにより、締結具本体２は輪状となり、養生シートと１６は張設される。
【００３０】
なお、枠組足場の鋼管１５と養生シート１６との距離が不揃いであることが常で、その対応は、図４に示すように、締結具本体２を交差させるように設けることもできるし、また、図５にも示すように、鋼管１５に２重巻きすることで、調節することができる。これにより、養生シート１６を確実に且つ緩みなく張設できるものである。
【実施例２】
【００３１】
図６乃至図７において、この発明の実施例が示されている。この養生シート用締結具２１は、締結具本体２２と、この締結具本体２２の双方端に設けられたフック２３，２４と、前記締結具本体２２に設けられた緊縮手段２５とより成っている。
【００３２】
前記締結具本体２２は、鉄、アルミニウム等の金属により製造され、線状の部材であり、前述したようにフック２３，２４が設けられている。前記フック２３は、枠組足場の鋼管１５の周りに係止するために、フック２３の曲率半径は、前記鋼管１５の径とほぼ同等に形成されている。また他のフック２４は養生シート１６の緊縮用穴１７に係止するために、鉤形となっている。
【００３３】
前記緊縮手段２５は、図６に示すように、前記締結具本体２の中程に設けられ、具体的には一例として、ターンバックルが用いられている。このターンバックルは、回転部材２５ａと右ねじ加工の一方の締結具本体２２ａと左ねじ加工の他方の締結具本体２２ｂとで構成され、前記回転部材２５ａを回転することで、左右の締結具本体２２ａ，２２ｂが相互に近づき、または遠ざかることになり、前記フック２３，２４の距離を修正し、両フック２３，２４間を緊縮せしめ、養生シート１６を適切に張設することができる。
【００３４】
したがって、枠組足場に養生シート１６を張設する場合には、フック２４を持って養生シート１６の緊結用の穴１７に挿入係止した後に、フック２３を枠組足場の鋼管１５の外周に係止させる。係止が終わったら、回転部材２５ａを回転させることで、両フック２３，２４間を緊縮させることができる。これにより両者間の距離の不揃いを修正でき、養生シート１６を確実且つ緩みなく張設することができる。
【００３５】
なお、前述の緊縮手段２５を図７に示すように、左右の締結具本体２２ａ，２２ｂ間を連結する引っ張りスプリング２７により構成しても良いし、また図８に示すように、左右の締結具本体２２ａ，２２ｂ間を連結するゴム等の弾性材２８により構成してもよい。即ち、スプリング２７，弾性材２８等により緊縮作用を与えることが可能となる。
【符号の説明】
【００３６】
１    養生シート用締結具
２    締結具本体
３    連結具
４    挿入部
５    被挿入部
８    突起
９    嵌入穴
１０  係止穴
１２  永久磁石
１５  鋼管
１６  養生シート
１７  緊結用の穴
２１  養生シート用締結具
２２  締結具本体
２３  フック
２４  フック
２５  緊縮手段
２７  スプリング
２８  弾性材
【図１】
2010189883.tif 000003
【図２】
2010189883.tif 000004
【図３】
2010189883.tif 000005
【図４】
2010189883.tif 000006
【図５】
2010189883.tif 000007
【図６】
2010189883.tif 000008
【図７】
2010189883.tif 000009
【図８】
2010189883.tif 000010